(57)【要約】【課題】サイズタイプミスマッチの検知の要する無駄な処理を大幅に省略すること。【解決手段】サイズタイプミスマッチ検知部２１５により、印刷要求が指示されると、該印刷要求の内容に基づき、給紙段候補となる給紙カセット２２５ａ〜２２５ｃが検索され、次に給紙段候補となった給紙カセット２２５ａ〜２２５ｃが印刷要求と一致するかが確認され、次に該当する給紙カセット２２５ａ〜２２５ｃがあれば給紙段とする給紙カセットが選択され、該当する給紙カセット２２５ａ〜２２５ｃがなければサイズタイプミスマッチであることが検知されるが、給紙カセット管理部２１４より共通フラグが立てられている場合、直ちに印刷要求の内容と共通フラグとの比較によるサイズタイプミスマッチの検知が行われる。【選択図】図２
2016069161.tif 000002
【特許請求の範囲】
【請求項１】
複数の給紙カセットを搭載している画像形成装置であって、
前記給紙カセットにセットされた用紙に関する用紙情報を、前記給紙カセット毎に管理する給紙カセット管理手段と、
前記用紙情報を設定する用紙情報設定手段と、
印刷要求を指示する印刷要求指示手段と、
該印刷要求指示手段から印刷要求が指示されると、該印刷要求の内容に基づき、給紙段候補となる給紙カセットを検索し、次に給紙段候補となった給紙カセットが印刷要求と一致するか確認し、次に該当する給紙カセットがあれば給紙段とする給紙カセットを選択し、該当する給紙カセットがなければサイズタイプミスマッチであることを検知して通知するサイズタイプミスマッチ検知手段とを備え、
前記給紙カセット管理手段は、前記給紙カセット毎に共通する情報があれば、その共通する情報を示す共通フラグを立て、
前記サイズタイプミスマッチ検知手段は、前記共通フラグが立てられている場合、直ちに前記サイズタイプミスマッチの検知を行う
ことを特徴とする画像形成装置。
【請求項２】
前記用紙情報は、用紙のサイズ、用紙のタイプ及び用紙の有無であることを特徴とする請求項１に記載の画像形成装置。
【請求項３】
前記共通フラグは、全ての前記給紙カセットにセットされた用紙のサイズ、又は全ての前記給紙カセットに用紙が無いことを示すものであることを特徴とする請求項１又は２に記載の画像形成装置。
【発明の詳細な説明】
【技術分野】
【０００１】
本発明は、給紙カセットから送出された用紙上に画像を形成する画像形成装置に関する。
【背景技術】
【０００２】
たとえば、複合機などのＭＦＰ（Ｍｕｌｔｉｆｕｎｃｔｉｏｎ  Ｐｅｒｉｐｈｅｒａｌ）である画像形成装置においては、給紙を行うための給紙カセットが複数搭載されている機種がある。これらの給紙カセットには、Ａ４、Ａ３などのような様々なサイズの用紙や、普通紙、カラー紙などのような様々なタイプの用紙をセットすることができる。
【０００３】
ちなみに、給紙カセットにセットされた用紙は、用紙幅ガイドを調整することで給紙カセット内での収まりが良好に保たれ、用紙ジャムなどが発生しないように印字位置側へ送り出される。また、給紙カセットにセットされた用紙サイズは、ダイヤルなどによって選択することにより、画像形成装置の制御部によって給紙カセットの用紙サイズが把握される。なお、画像形成装置の機種によっては、操作パネル部によって用紙サイズを設定する場合もある。また、画像形成装置の機種によっては、給紙カセットの用紙サイズが検知センサーなどにより自動で検知されるものもある。ただし、普通紙、カラー紙などのような様々なタイプの用紙については、操作パネル部によって設定しておくことで、画像形成装置の制御部により給紙カセットの用紙のタイプが把握される。
【０００４】
ところで、このような画像形成装置においては、印刷時に用紙サイズや用紙タイプを指定すると、画像形成装置の制御部により指定に一致する用紙がセットされた給紙カセットの検索が行われ、該当する給紙カセットが検索されると、その給紙カセットからの給紙が行われる。
【０００５】
なお、たとえば指定された用紙サイズや用紙タイプを収容している給紙カセットが存在しない場合、サイズタイプミスマッチが検知される。このミスマッチはエラーとされ、画像形成装置の操作パネル部などに表示される。
【０００６】
また、たとえば指定された用紙サイズや用紙タイプを収容している給紙カセットが存在しない場合、特許文献１に示されている画像形成装置のように、給紙カセットに収容されている用紙サイズに合わせ、メモリ上に生成されている画像データを自動縮小又は自動拡大し、給紙カセットから給紙された用紙への印刷が行われるものもある。
【先行技術文献】
【特許文献】
【０００７】
【特許文献１】特開２００７−１３６６８８
【発明の概要】
【発明が解決しようとする課題】
【０００８】
上述した特許文献１での画像形成装置では、原稿サイズを記録紙のサイズに合わせて縮小又は拡大して印刷出力するようにしているため、サイズタイプミスマッチが生じても原稿サイズを記録紙のサイズに合わせ縮小又は拡大して印刷出力することができる。
【０００９】
ところで、このような画像形成装置では、サイズタイプミスマッチかどうかの検知処理を、たとえば次のようにして行っている。
（１）．印刷要求を受け付ける。
（２）．画像形成装置に装着されている複数の給紙カセットから給紙段候補となる給紙カセットを検索する。
（３）．（２）で給紙段候補となった給紙カセットがユーザーの要求と一致するか確認する。
（３）−１給紙カセットにエラーが発生していないか確認する。
（３）−２給紙カセットがユーザーの指定した用紙サイズと一致するか確認する。
（３）−３給紙カセットとユーザーの印刷設定から画像回転のチェックなどを行う。
（４）．（２）で給紙段候補となった全ての給紙カセットに対して（３）の処理を実施し、その結果から最終的に給紙段とする給紙カセットを選択する。
（５）．該当する給紙カセットがなければ、サイズタイプミスマッチであることを検知する。
【００１０】
以上のように、サイズタイプミスマッチかどうかの検知処理においては、上述した複数の処理が介在しているため、特に給紙カセットを複数搭載している画像形成装置にあっては、無駄な処理が増えてしまうという問題があった。
【００１１】
本発明は、このような状況に鑑みてなされたものであり、上記問題点を解消することができる画像形成装置を提供することを目的とする。
【課題を解決するための手段】
【００１２】
本発明の画像形成装置は、複数の給紙カセットを搭載している画像形成装置であって、前記給紙カセットにセットされた用紙に関する用紙情報を、前記給紙カセット毎に管理する給紙カセット管理手段と、前記用紙情報を設定する用紙情報設定手段と、印刷要求を指示する印刷要求指示手段と、該印刷要求指示手段から印刷要求が指示されると、該印刷要求の内容に基づき、給紙段候補となる給紙カセットを検索し、次に給紙段候補となった給紙カセットが印刷要求と一致するか確認し、次に該当する給紙カセットがあれば給紙段とする給紙カセットを選択し、該当する給紙カセットがなければサイズタイプミスマッチであることを検知して通知するサイズタイプミスマッチ検知手段とを備え、前記給紙カセット管理手段は、前記給紙カセット毎に共通する情報があれば、その共通する情報を示す共通フラグを立て、前記サイズタイプミスマッチ検知手段は、前記共通フラグが立てられている場合、直ちに前記サイズタイプミスマッチの検知を行うことを特徴とする。
また、前記用紙情報は、用紙のサイズ、用紙のタイプ及び用紙の有無であることを特徴とする。
また、前記共通フラグは、全ての前記給紙カセットにセットされた用紙のサイズ、又は全ての前記給紙カセットに用紙が無いことを示すものであることを特徴とする。
本発明の画像形成装置では、給紙カセット管理手段により、給紙カセットにセットされた用紙に関する、用紙情報設定手段によって設定された用紙情報が給紙カセット毎に管理され、サイズタイプミスマッチ検知手段により、印刷要求指示手段から印刷要求が指示されると、該印刷要求の内容に基づき、給紙段候補となる給紙カセットが検索され、次に給紙段候補となった給紙カセットが印刷要求と一致するかが確認され、次に該当する給紙カセットがあれば給紙段とする給紙カセットが選択され、該当する給紙カセットがなければサイズタイプミスマッチであることが検知される。
ここで、給紙カセット管理手段により、給紙カセット毎に共通する情報があれば、その共通する情報を示す共通フラグが立てられるため、この共通フラグが立てられている場合、サイズタイプミスマッチ検知手段により、直ちに印刷要求の内容と共通フラグとの比較によるサイズタイプミスマッチの検知が行われる。
つまり、共通フラグが立てられている場合、印刷要求指示手段からの印刷要求の指示があった場合に行われる、印刷要求の内容に基づく、給紙段候補となる給紙カセットの検索と、給紙段候補となった給紙カセットが印刷要求と一致するかどうかの確認に要する処理が省かれることになる。
【発明の効果】
【００１３】
本発明の画像形成装置によれば、共通フラグが立てられている場合、印刷要求指示手段からの印刷要求の指示があった場合に行われる、印刷要求の内容に基づく、給紙段候補となる給紙カセットの検索と、給紙段候補となった給紙カセットが印刷要求と一致するかどうかの確認に要する処理が省かれるようにしたので、サイズタイプミスマッチの検知の要する無駄な処理を大幅に省略することができる。
【図面の簡単な説明】
【００１４】
【図１】本発明の画像形成装置の一実施形態を説明するための図である。
【図２】図１の画像形成装置の構成を説明するための図である。
【図３】図２の画像形成装置の給紙カセット管理部が管理している給紙カセット管理情報を説明するための図である。
【図４】図２の画像形成装置のミスマッチ検知部によるサイズタイプミスマッチかどうかの検知処理について説明するためのフローチャートである。
【発明を実施するための形態】
【００１５】
以下、本発明の画像形成装置の一実施形態を、図１〜図４を参照しながら説明する。なお、以下に説明する画像形成装置は、たとえば社内ＬＡＮ（Ｌｏｃａｌ  Ａｒｅａ  Ｎｅｔｗｏｒｋ）を介してクライアント端末に接続されているものとする。
【００１６】
すなわち、図１に示すように、たとえばＭＦＰ（Ｍｕｌｔｉｆｕｎｃｔｉｏｎ  Ｐｅｒｉｐｈｅｒａｌ）である画像形成装置２００は、社内ＬＡＮ３００を介してクライアント端末１００に接続されている。また、画像形成装置２００は、たとえばクライアント端末１００からの社内ＬＡＮ３００を介して送信される印刷ジョブに基づき印刷などを行う。
【００１７】
次に、図２を参照し、画像形成装置２００の制御系などの構成について説明する。制御系は、システム管理を行う部分と、画像処理管理を行う部分とから構成されている。システム管理を行う部分は、Ｉ／Ｆ（インターフェース）２０１、回線Ｉ／Ｆ２０２、ＲＯＭ（Ｒｅａｄ  Ｏｎｌｙ  Ｍｅｍｏｒｙ）２０３、ＲＡＭ（Ｒａｎｄｏｍ  Ａｃｃｅｓｓ  Ｍｅｍｏｒｙ）２０４、記憶装置２０５、ＣＰＵ（Ｃｅｎｔｒａｌ  Ｐｒｏｃｅｓｓｉｎｇ  Ｕｎｉｔ）２０６から構成されている。また、画像処理管理を行う部分は、ＩＯ制御部２０７、画像処理部２１０、Ｉ／Ｆ２１１、表示制御部２１２、入力制御部２１３、給紙カセット管理部２１４、サイズタイプミスマッチ検知部２１５から構成されている。そして、これらの部分は、システムバス２０８及び画像バス２１６に接続されている。  
【００１８】
Ｉ／Ｆ２０１は、社内ＬＡＮ３００と接続するためのインターフェース部である。Ｉ／Ｆ２０１は、社内ＬＡＮ３００を介してクライアント端末１００と通信を行う。回線Ｉ／Ｆ２０２は、ＩＳＤＮや公衆電話網に接続され、遠隔の端末とデータの送受信を行う。回線Ｉ／Ｆ２０２は、通信制御プログラムにより制御され、ファクシミリなどのデータ送受信を行う。
【００１９】
ＲＯＭ２０３には、各種プログラムが記憶されている。ＲＡＭ２０４は、プログラムを実行するためのワークメモリである。記憶装置２０５は不揮発性記憶装置であり、画像形成装置２００の再起動後も保持しておく必要のある各種動作モード設定や、カウンター値（サイズ毎の印刷枚数や、原稿読み取り回数など）、及びステータスフラグなどを記憶する。
【００２０】
ＣＰＵ２０６は、ＲＯＭ２０３や記憶装置２０５に格納された画像形成装置２００の制御プログラムなどを実行する。また、ＣＰＵ２０６は、ＲＯＭ２０３に記憶された各種プログラムをＲＡＭ２０４に読み出し、解析し、各種処理を実行する。また、ＣＰＵ２０６は制御プログラムを実行することにより、ユーザーの指示するコピーやプリントなどの処理を実行する。
【００２１】
ＩＯ制御部２０７は、システムバス２０８と画像バス２１６との間での画像データの転送を高速で行わせるためのバスブリッジである。画像バス２１６は、ＰＣＩバス又はＩＥＥＥ１３９４などのバスで構成される。
【００２２】
画像処理部２１０は、たとえば印刷データに対し、画像処理（ラスタライズ）を行う。画像処理の際は、印刷データに対し、補正（画像回転など）／加工／編集なども行う。Ｉ／Ｆ２１１は、画像形成装置２００のスキャナー部２２０、プリンター部２２１、ＦＡＸ部２２２と制御系とを接続し、画像データの同期系／非同期系の変換を行う。また、スキャナー部２２０、プリンター部２２１、ＦＡＸ部２２２内の各所に配置した図示しない各種センサーが検出した情報は、Ｉ／Ｆ２１１及びＩＯ制御部２０７を介してシステムバス２０８に出力される。
【００２３】
表示制御部２１２は、表示部２２３に対し、コピー、プリンター、スキャナー、ＦＡＸなどの設定に関わる内容などを表示させる。入力制御部２１３は、操作部２２４からの操作を受け付ける。ユーザーは、操作部２２４を通してスキャナー部２２０、プリンター部２２１、ＦＡＸ部２２２に関する各種設定指示や、作動／停止指示を行う。また、ユーザーは、表示部２２３を介して、機能毎の使用頻度の確認や、装填されているトナー容器内の残量の確認などを行うこともできる。
【００２４】
給紙カセット管理部２１４は、複数の給紙カセット２２５ａ〜２２５ｃについての管理を行う。すなわち、給紙カセット管理部２１４は、図３に示すような給紙カセット管理情報を有している。この給紙カセット管理情報は、用紙管理内容２２５ｄに対応する用紙情報２２５ｅを有している。この用紙情報２２５ｅのうち、用紙サイズのＡ４と用紙タイプの普通紙又はカラー紙は、たとえば画像形成装置の操作部２２４によって設定されたものである。また、用紙情報２２５ｅのうちの用紙の有無は、図示しない検知センサーによる検知結果である。
【００２５】
また、給紙カセット管理部２１４は、複数の給紙カセット２２５ａ〜２２５ｃについて共通する情報を、共通フラグ２２５ｆで管理している。つまり、給紙カセット管理部２１４は、複数の給紙カセット２２５ａ〜２２５ｃについて共通する情報があれば、その共通する情報を示す共通フラグ２２５ｆを立てる。ちなみに、図３に示す共通フラグ２２５ｆは、用紙サイズがＡ４であることを示している。これは、複数の給紙カセット２２５ａ〜２２５ｃの用紙サイズがＡ４として設定されているためである。
【００２６】
なお、複数の給紙カセット２２５ａ〜２２５ｃの用紙サイズがＡ４として設定されているものの、用紙情報２２５ｅのうちの用紙の有無が全て無しの場合、共通フラグ２２５ｆは用紙が無いことを示す「無し」とされる。なお、複数の給紙カセット２２５ａ〜２２５ｃの用紙サイズが異なる場合、一部の給紙カセット２２５ａ〜２２５ｃの用紙が無い場合は、共通フラグ２２５ｆが立てられない。
【００２７】
サイズタイプミスマッチ検知部２１５は、たとえば操作部２２４からの印刷要求を受け付けると、サイズタイプミスマッチの即時判定可能かどうかを判断し、即時判定可能であれば直ちに給紙段となる給紙カセット２２５ａ〜２２５ｃを選択する。すなわち、サイズタイプミスマッチ検知部２１５は、給紙カセット管理部２１４によって共通フラグ２２５ｆが立てられていれば、即時判定可能と判断し、直ちに印刷要求の内容と共通フラグ２２５ｆとを比較し、サイズタイプミスマッチの検知を行い、給紙段となる給紙カセット２２５ａ〜２２５ｃを選択する。これに対し、給紙カセット管理部２１４によって共通フラグ２２５ｆが立てられていなれば、詳細は後述するが、即時判定可能でないと判断し、通常の給紙段候補となる給紙カセット２２５ａ〜２２５ｃの検索、すなわち、通常のサイズタイプミスマッチかどうかの検知処理を行う。
【００２８】
次に、図４を参照し、サイズタイプミスマッチかどうかの検知処理について説明する。まず、ＣＰＵ２０６は、入力制御部２１３を介し、操作部２２４からの印刷要求が受け付けられたかどうかを判断する（ステップＳ１０１）。印刷要求が受け付けられていなければ（ステップＳ１０１：Ｎｏ）。印刷要求の受け付け待ちとなる。
【００２９】
これに対し、印刷要求が受け付けられると（ステップＳ１０１：Ｙｅｓ）、サイズタイプミスマッチ検知部２１５がサイズタイプミスマッチの即時判定可能かどうかを判断する（ステップＳ１０２）。すなわち、サイズタイプミスマッチ検知部２１５は、給紙カセット管理部２１４によって共通フラグ２２５ｆが立てられていれば、即時判定可能と判断する（ステップＳ１０２：Ｙｅｓ）。これに対し、サイズタイプミスマッチ検知部２１５は、給紙カセット管理部２１４によって共通フラグ２２５ｆが立てられていなければ、即時判定可能でないと判断する（ステップＳ１０２：Ｎｏ）。
【００３０】
ここで、サイズタイプミスマッチ検知部２１５は、即時判定可能でないと判断すると、通常の給紙段候補となる給紙カセット２２５ａ〜２２５ｃのチェックを行う（ステップＳ１０３）。すなわち、下記の（１）．〜（５）．のうち、（２）以降のサイズタイプミスマッチかどうかの検知処理を行う。
【００３１】
（１）．印刷要求を受け付ける。
（２）．画像形成装置に装着されている複数の給紙カセットから給紙段候補となる給紙カセットを検索する。
（３）．（２）で給紙段候補となった給紙カセットがユーザーの要求と一致するか確認する。
（３）−１給紙カセットにエラーが発生していないか確認する。
（３）−２給紙カセットがユーザーの指定した用紙サイズと一致するか確認する。
（３）−３給紙カセットとユーザーの印刷設定から画像回転のチェックなどを行う。
（４）．（２）で給紙段候補となった全ての給紙カセットに対して（３）の処理を実施し、その結果から最終的に給紙段とする給紙カセットを選択する。
（５）．該当する給紙カセットがなければ、サイズタイプミスマッチであることを検知する。
【００３２】
これに対し、サイズタイプミスマッチ検知部２１５は、即時判定可能であると判断すると、まず、印刷要求の内容と共通フラグ２２５ｆとを比較し、サイズタイプミスマッチが有るかどうかを判断する（ステップＳ１０４）。すなわち、ステップＳ１０１での印刷要求がＡ４であり、給紙カセット管理部２１４によって立てられている共通フラグ２２５ｆが「Ａ４」であれば、サイズタイプミスマッチが無いと判断し（ステップＳ１０４：Ｎｏ）、直ちに給紙段となる給紙カセット２２５ａ〜２２５ｃを選択する（ステップＳ１０５）。この場合、サイズタイプミスマッチ検知部２１５は、上述した（２）．と（３）．の処理を省き、（４）．での給紙カセット２２５ａ〜２２５ｃの選択の処理に移ることができる。
【００３３】
また、上述したように、給紙カセット管理部２１４によって立てられている共通フラグ２２５ｆが用紙の無いことを示す「無し」である場合、サイズタイプミスマッチ検知部２１５は印刷要求の内容と共通フラグ２２５ｆとの比較により、直ちにサイズタイプミスマッチが有ると判断し（ステップＳ１０４：Ｙｅｓ）、サイズタイプミスマッチを通知する（ステップＳ１０６）。この場合、サイズタイプミスマッチ検知部２１５は、上述した（２）．〜（４）．の処理を省き、（５）．の処理に移ることができる。
【００３４】
一方、ステップＳ１０１での印刷要求がＡ４であり、給紙カセット管理部２１４によって立てられている共通フラグ２２５ｆが「Ａ３」であれば、印刷要求の内容と共通フラグ２２５ｆとの比較により、直ちにサイズタイプミスマッチが有ると判断し（ステップＳ１０４：Ｙｅｓ）、サイズタイプミスマッチを通知する。このミスマッチはエラーとされ、画像形成装置２００の表示部２２３などに表示される。
【００３５】
このように、本実施形態では、給紙カセット管理手段（給紙カセット管理部２１４）により、給紙カセット２２５ａ〜２２５ｃにセットされた用紙に関する、用紙情報設定手段（操作部２２４など）によって設定された用紙情報２２５ｅが給紙カセット２２５ａ〜２２５ｃ毎に管理され、サイズタイプミスマッチ検知手段（サイズタイプミスマッチ検知部２１５）により、印刷要求指示手段（操作部２２４など）から印刷要求が指示されると、該印刷要求の内容に基づき、給紙段候補となる給紙カセット２２５ａ〜２２５ｃが検索され、次に給紙段候補となった給紙カセット２２５ａ〜２２５ｃが印刷要求と一致するかが確認され、次に該当する給紙カセット２２５ａ〜２２５ｃがあれば給紙段とする給紙カセットが選択され、該当する給紙カセット２２５ａ〜２２５ｃがなければサイズタイプミスマッチであることが検知される。つまり、サイズタイプミスマッチ検知手段（サイズタイプミスマッチ検知部２１５）は、通常の検知処理を行う場合、上述した（１）〜（５）の処理を行う。
【００３６】
ここで、給紙カセット管理手段に（給紙カセット管理部２１４）より、給紙カセット２２５ａ〜２２５ｃ毎に共通する情報があれば、その共通する情報を示す共通フラグ２２５ｆが立てられるため、この共通フラグ２２５ｆが立てられている場合、サイズタイプミスマッチ検知手段（サイズタイプミスマッチ検知部２１５）により、直ちに印刷要求の内容と共通フラグ２２５ｆとの比較によるサイズタイプミスマッチの検知が行われる。
【００３７】
つまり、共通フラグ２２５ｆが立てられている場合、印刷要求指示手段（操作部２２４など）からの印刷要求の指示があった場合に行われる、印刷要求の内容に基づく、給紙段候補となる給紙カセット２２５ａ〜２２５ｃの検索と、給紙段候補となった給紙カセット２２５ａ〜２２５ｃが印刷要求と一致するかどうかの確認に要する処理が省かれることになる。言い換えれば、上述した（２）〜（４）の一部の無駄な処理が省かれることになり、サイズタイプミスマッチの検知の要する無駄な処理を大幅に省略することができる。
【００３８】
特に、全ての給紙カセット２２５ａ〜２２５ｃの用紙のサイズがたとえばＡ４に設定されていて、印刷要求の内容がＡ４以外であれば、この時点でサイズタイプミスマッチの発生がほぼ確定することになる。また、全ての給紙カセット２２５ａ〜２２５ｃの用紙が無い場合で、印刷要求があれば、この時点でサイズタイプミスマッチの発生がほぼ確定することになる。
【００３９】
このように、サイズタイプミスマッチの検知を行う前にサイズタイプミスマッチの発生がほぼ確定している状況で、たとえば上述した（２）〜（５）の処理を行うことはサイズタイプミスマッチの検知処理が無駄となる。ところが、上述したように、直ちに印刷要求の内容と共通フラグ２２５ｆとの比較によるサイズタイプミスマッチの検知が行われるため、特に、サイズタイプミスマッチの発生がほぼ確定しているような状況では無駄な処理の低減が顕著なものとなる。
【符号の説明】
【００４０】
１００  クライアント端末
２００  画像形成装置
２０１  Ｉ／Ｆ
２０２  回線Ｉ／Ｆ
２０３  ＲＯＭ
２０４  ＲＡＭ
２０５  記憶装置
２０６  ＣＰＵ
２０７  ＩＯ制御部
２０８  システムバス
２１０  画像処理部
２１１  Ｉ／Ｆ
２１２  表示制御部
２１３  入力制御部
２１４  給紙カセット管理部
２１５  サイズタイプミスマッチ検知部
２１６  画像バス
２２０  スキャナー部
２２１  プリンター部
２２２  ＦＡＸ部
２２３  表示部
２２４  操作部
２２５ａ〜２２５ｃ  給紙カセット
２２５ｄ  用紙管理内容
２２５ｅ  用紙情報
２２５ｆ  共通フラグ
３００  社内ＬＡＮ
【図１】
2016069161.tif 000003
【図２】
2016069161.tif 000004
【図３】
2016069161.tif 000005
【図４】
2016069161.tif 000006